(57)【特許請求の範囲】
【請求項１】
ホースに接続される散水器本体と、通水孔を有し前記散水器本体の前面に連結されるノズルヘッドと、異なる散水パターンを任意に設定するよう操作される操作レバーが一体に成形され前記散水器本体の下部側に回動可能に軸支された正面視半月形のケース体と、散水器本体下面位置に固定され、上下に複数段の散水パターン設定用の爪が形成された垂下部材から構成されるラチェット手段と、前記垂下部材の直下で前記ケース体に回動可能に軸支されるとともに、矩形の当接片、一対の立設片、一対のピンおよび立設片の上部に架設された水平な引っ掛かり棒から構成され、前記操作レバーの操作により前記爪に係合して前記ケース体をロックするストッパー手段と、前記ケース体に回動可能に軸支され、縦断面略Ｌ字型の板状で軸支部分および押圧部分から構成され、ストッパー手段の当接片を下側から押圧することにより前記ケース体のロックを解除するロック解除手段と、前記散水器本体の下部側に回動可能に軸支された連接レバーと、この連接レバーの回動に連動して前記通水孔を開閉するよう散水器本体内に摺動可能に設置されたスピンドルとを備え、更に、前記ケース体は、前記操作レバーの操作時に、前記連接レバーを押圧して回動させ前記スピンドルの摺動により開いた前記通水孔を通して特定の散水パターンで散水させる突起片を有し、また、前記ケース体にロック解除手段を操作するための開孔が正面および背面に設けられるとともに、ケース体を散水器本体の下部側に軸支するためのピンを用いてロック解除手段をケース体に軸支してあり、さらに、スピンドルから放射状に複数の羽根を突出させてあることを特徴とする散水器。
【発明の詳細な説明】
【０００１】
【発明の属する技術分野】
この発明は、散水を行うための操作レバーを操作することにより、複数の散水パターンの設定ができる新規な散水器に関するものである。
【０００２】
【従来の技術】
散水器として、ノズルヘッドに回動自在に取り付けられた回転ガイドを回動させることによって、例えばジェット、ミスト、フラット、シャワー等の異なる散水パターンを任意に設定できるように構成されたものが公知である。
【０００３】
例えば、図５に示すように、散水器本体５１に装着されるノズルヘッド５２とは正反対の位置の散水器本体５１の上側に操作レバー５０が設けられ、かつノズルヘッド５２の散水口５２ａが散水器本体５１の長手方向に対して直角な方向に向いている水撒き器がある。なお、図５において、ノズルヘッド５２に取り付けられる回転ガイドは省略してある。
【０００４】
【発明が解決しようとする課題】
しかし、上記構成の散水器は、以下の欠点がある。すなわち、
１）操作レバー５０を押し続ける状態で散水器本体５１を持たないと散水できないものであって、押し続ける分使用者に負担がかかる。
２）操作レバー５０が散水器本体５１の上側、つまり掌側にあるので、散水器本体５１を動かすことなく操作レバー５０を押すのは難しく、どうしても散水器本体５１が動いてしまって散水位置がずれるおそれがあり、散水し難く、かつ使用勝手が悪い。
【０００５】
この発明は、上記の事柄に留意してなされたもので、その目的とするところは、使用者にできる限り負担をかけることなく、散水し易く、かつ、使用勝手の良い散水器を提供することにある。
【０００６】
【課題を解決するための手段】
上述の目的を達成するため、この発明は、ホースに接続される散水器本体と、通水孔を有し前記散水器本体の前面に連結されるノズルヘッドと、異なる散水パターンを任意に設定するよう操作される操作レバーが一体に成形され前記散水器本体の下部側に回動可能に軸支された正面視半月形のケース体と、散水器本体下面位置に固定され、上下に複数段の散水パターン設定用の爪が形成された垂下部材から構成されるラチェット手段と、前記垂下部材の直下で前記ケース体に回動可能に軸支されるとともに、矩形の当接片、一対の立設片、一対のピンおよび立設片の上部に架設された水平な引っ掛かり棒から構成され、前記操作レバーの操作により前記爪に係合して前記ケース体をロックするストッパー手段と、前記ケース体に回動可能に軸支され、縦断面略Ｌ字型の板状で軸支部分および押圧部分から構成され、ストッパー手段の当接片を下側から押圧することにより前記ケース体のロックを解除するロック解除手段と、前記散水器本体の下部側に回動可能に軸支された連接レバーと、この連接レバーの回動に連動して前記通水孔を開閉するよう散水器本体内に摺動可能に設置されたスピンドルとを備え、更に、前記ケース体は、前記操作レバーの操作時に、前記連接レバーを押圧して回動させ前記スピンドルの摺動により開いた前記通水孔を通して特定の散水パターンで散水させる突起片を有し、また、前記ケース体にロック解除手段を操作するための開孔が正面および背面に設けられるとともに、ケース体を散水器本体の下部側に軸支するためのピンを用いてロック解除手段をケース体に軸支してあり、さらに、スピンドルから放射状に複数の羽根を突出させてある。
【０００７】
すなわち、この発明は、操作レバーを散水器本体の下部に設け、操作レバーを回動させることによって、その回動方向の動きを連接レバーを介してスピンドルに伝達し、このスピンドルの摺動によってノズルヘッドの通水孔を開閉し、この通水孔の開度に応じて、例えばジェット、フラット等の異なる散水パターンを任意に設定できるように構成したものであって、操作レバーを下側から押し続けるので、自然な状態で散水器本体を持つことができ、散水器本体が動いてしまって散水位置がずれるおそれがなく、かつ使用勝手がよい。
【０００８】
更に、操作レバーの操作により、突起片が連接レバーを押圧して回動させスピンドルの摺動により開いた通水孔を通して散水できると同時に、ストッパー手段を垂下部材の爪に係合させてケース体をロックできるように構成したので、ロック時点で特定の散水パターンを設定できる上、操作レバーを押し続ける必要が無くなる。これにより、従来操作レバーを押し続ける状態で散水器本体を持たないと散水できないという不都合を解消でき、使用者の負担を軽減できる。
【０００９】
また、ロック解除手段を作動させるだけの簡単な操作で、ケース体のロックを解除できる。しかも、複数の羽根によりスピンドルのガタツキを確実に防止できる。
【００１０】
【発明の実施の形態】
以下、この発明の実施の一形態を説明する。
図１〜図４において、１は正面視半月形のケース体で、例えばジェット、フラット等の異なる散水パターンを任意に設定するよう操作される操作レバー２が一体に成形されている。このケース体１は、ホースＨに接続される略筒状の散水器本体３の下部側に回動可能にピン４により軸支されている。  なお、この実施形態ではケース体１は、２つ割りに成形されており、内部空間を有し、後述するロック解除手段を構成するロック解除レバー５の操作ができるよう正面および背面に開孔６が設けられている。
【００１１】
７は、上下に複数段の散水パターン設定用の爪ａ，ｂ，ｃが形成された垂下部材で、散水器本体下面位置に固定されており、ラチェット手段を構成する。８はその固定板である。なお、この実施形態では爪ａ，ｂ，ｃに対応する３つの散水パターンを設定してある。
【００１２】
９は、操作レバー２の操作により爪ａ，ｂ，ｃのいずれかに係合してケース体１をロックするロック部材で、垂下部材７の直下でケース体１に回動可能にピン１０により軸支されており、ストッパー手段を構成する。このロック部材９は、矩形の当接片９ａ、一対の立設片９ｂ、一対のピン１０および立設片９ｂ，９ｂの上部に架設された水平な引っ掛かり棒１１から構成され、ロック解除レバー５が当接片９ａを下側から押圧することによりピン１０を中心に回動し、爪ａ，ｂ，ｃに引っ掛かっていた引っ掛かり棒１１が外れてロック解除できる。
【００１３】
ロック解除レバー５は、ケース体１に回動可能にピン４により軸支されている。このロック解除レバー５は、縦断面略Ｌ字型の板状で、軸支部分５ａと押圧部分５ｂから構成される。
【００１４】
１２は、散水器本体３の下部側に回動可能にピン１３により軸支された連接レバーであり、連接レバー１２は、側面視三角形で、その底辺の位置にピン孔１３ａが穿設された筒体１２ａを有し、中央位置に三角形の頂点位置の上方まで突出した突出片１２ｂを有する角柱１２ｃが立設されている。１４は、この連接レバー１２の回動に連動して、後述する通水孔１５を開閉するよう散水器本体３内に摺動可能に設置されたスピンドルである。このスピンドル１４は、前部に大径部分１４ａを有し、この大径部分１４ａの胴部から放射状に複数の羽根Ｋが突出している。そして、スピンドル１４の前端には、縦断面略台形状の拡散板１８が取付けられている。一方、スピンドル後部の小径部分１４ｂには、連接レバー１２の突出片１２ｂが貫通可能な大きさの貫通孔１４ｃが設けられている。そして、操作レバー２の回動方向の動きが連接レバー１２を介してスピンドル１４に伝達され、このスピンドル１４の摺動によってノズルヘッド１６の通水孔１５を開閉する。なお、１５ａは弁座である。
【００１５】
更に、１７は、操作レバー２の操作時に、連接レバー１２を押圧して回動させスピンドル１４の摺動により開いた通水孔１５を通して特定の散水パターンで散水させる突起片であり、この突起片１７はケース体３内のピン孔３ａ近傍に形成されている。
【００１６】
１６は、上述したように通水孔１５を有し散水器本体３の前面に連結されるノズルヘッドで、スピンドル１４の通水孔開方向（Ａ方向）への摺動によってスピンドル１４の先端に設けた拡散板１８と通水孔１５間に形成される隙間の開度に応じて、異なる散水パターンを任意に設定できる。しかもノズルヘッド１６は、通水孔１５の前部に、通水孔閉方向（Ｂ方向）へ行くほど径が大になるよう形成された散水用の環状のテーパー部１９を有する。
【００１７】
以下、動作について説明する。
操作レバー２を散水器本体の下部に設け、操作レバー２を図３に示す二点鎖線の位置から実線の位置に回動させる（Ｃ方向に回動させる）ことによって、散水が行われる。すなわち、操作レバー２の回動方向の動きを突起片１７から連接レバー１２を介してスピンドル１４に伝達し、このスピンドルの摺動によってノズルヘッド１６の通水孔１５を開閉し、この通水孔１５の開度に応じて、異なる散水パターンを任意に設定できる。
【００１８】
このように、操作レバー２を下側から押し続けるので、自然な状態で散水器本体３を持つことができ、散水器本体３が動いてしまって散水位置がずれるおそれがなく、かつ使用勝手がよい。
【００１９】
更に、操作レバー２の操作により、突起片１７が連接レバー１２を押圧して回動させスピンドル１４の摺動により開いた通水孔１５を通して散水できると同時に、ロック部材９を垂下部材７の爪ａ，ｂ，ｃのいずれかに係合させてケース体１をロックできるように構成したので、ロック時点で特定の散水パターンを設定できる上、操作レバー２を押し続ける必要が無くなる。これにより、従来操作レバーを押し続ける状態で散水器本体を持たないと散水できないという不都合を解消でき、使用者の負担を軽減できる。
【００２０】
また、ロック解除レバー５をＦ方向（図３参照）に作動させるだけの簡単な操作で、ロック解除レバー５がロック部材９の当接片９ａを下側から押圧することによりロック部材９がピン１０を中心にＤ方向（図３参照）に回動し、ロック中爪ａ，ｂ，ｃに引っ掛かっていた引っ掛かり棒１１が外れてロック解除できる。
更に、複数の羽根Ｋによりスピンドル１４のガタツキを確実に防止できる。
【００２１】
【発明の効果】
以上のようにこの発明では、操作レバーを散水器本体の下部に設け、操作レバーを回動させることによって、その回動方向の動きを連接レバーを介してスピンドルに伝達し、このスピンドルの摺動によってノズルヘッドの通水孔を開閉し、この通水孔の開度に応じて、例えばジェット、フラット等の異なる散水パターンを任意に設定できるように構成したものであって、操作レバーを下側から押し続けるので、自然な状態で散水器本体を持つことができ、散水器本体が動いてしまって散水位置がずれるおそれがなく、かつ使用勝手がよい。
【００２２】
更に、操作レバーの操作により、突起片が連接レバーを押圧して回動させスピンドルの摺動により開いた通水孔を通して散水できると同時に、ストッパー手段を垂下部材の爪に係合させてケース体をロックできるように構成したので、ロック時点で特定の散水パターンを設定できる上、操作レバーを押し続ける必要が無くなる。これにより、従来操作レバーを押し続ける状態で散水器本体を持たないと散水できないという不都合を解消でき、使用者の負担を軽減できる。
【００２３】
また、ロック解除手段を作動させるだけの簡単な操作で、ケース体のロックを解除できる。しかも、複数の羽根によりスピンドルのガタツキを確実に防止できる。
【００２４】
以上のことから明らかなように、複雑な機構を極力避けて部品点数を最小限に抑えた取扱い易いコスト安の散水器を提供できる
【図面の簡単な説明】
【図１】この発明の一実施形態を示す全体構成縦断面図である。
【図２】上記実施形態を示す要部斜視図である。
【図３】上記実施形態における動作を説明するための図である。
【図４】上記実施形態を示す全体斜視図である。
【図５】従来例を示す全体斜視図である。
【符号の説明】
１…ケース体、２…操作レバー、３…散水器本体、５…ロック解除レバー、７…垂下部材、９…ロック部材、１２…連接レバー、１４…スピンドル、１５…通水孔、１６…ノズルヘッド、１７…突起片、ａ，ｂ，ｃ…爪。
【図１】
0003561757.tif 000002
【図２】
0003561757.tif 000003
【図３】
0003561757.tif 000004
【図４】
0003561757.tif 000005
【図５】
0003561757.tif 000006